(57)【要約】【課題】ディスク装置において、光ディスクの記録特性に関わらずスムーズに再生されるデータをノンマルチパルス方式で記録することができるようにする。【解決手段】ディスク装置１は、光ディスク２にレーザ光を照射する光ピックアップ４と、ジッターを検出するジッター検出部６と、ジッターが閾値より大きいか否かを判定するジッター判定手段８と、ノンマルチパルス方式におけるピークパワーとミドルパワーのパワー比が所定の値より大きいか否かを判定するパワー比判定手段９と、ジッター判定手段８とパワー比判定手段９が判定した結果に基づいてレーザ光の記録パワーを決定する調整手段１０とを備える。光ピックアップ４は、調整手段１０によって決定された記録パワーでレーザ光を照射することにより、ディスク装置１は、光ディスク２の記録特性に関わらずスムーズに再生されるデータ１２を記録することができる。【選択図】図１
2008299896.tif 000002
【特許請求の範囲】
【請求項１】
再記録可能な光ディスクにデータを記録再生するためにレーザ光を照射する記録再生部と、前記記録再生部がデータを記録するときに照射するレーザ光の記録パワーを調整する調整手段と、を備え、データを記録する前に光ディスクのテスト領域に記録したテストデータを再生することによって、記録パワーを調整するＯＰＣ（Ｏｐｔｉｍｕｍ  Ｐｏｗｅｒ  Ｃｏｎｔｒｏｌ）動作を行うディスク装置において、
前記光ディスク上のデータ領域に記録されたデータが前記記録再生部によって再生されたとき、レーザ光が光ディスクによって反射させられた反射光からＲＦ（Ｒａｄｉｏ  Ｆｒｅｑｕｅｎｃｙ）信号を検出するＲＦ信号検出部と、
前記ＲＦ信号からジッターを検出するジッター検出部と、
前記ジッターが予め定められた閾値より大きいか否かを判定するジッター判定手段と、を備え、
前記調整手段は、前記ジッターに基づいて記録パワーを設定し、
前記記録再生部は、
前記データ領域にデータを所定量記録すると、データの記録を中断してデータを再生し、前記ジッター判定手段により前記ジッターが前記閾値より大きいと判断されたとき、前記調整手段によって設定された記録パワーで、データの記録を中断した位置にデータを記録することを特徴とするディスク装置。
【請求項２】
前記記録再生部は、記録パワーがピークパワーとミドルパワーからなるノンマルチパルスのレーザ光を照射することによりデータを記録し、
前記調整手段は、前記ジッター判定手段により前記ジッターが前記閾値より大きいと判断されたとき、ミドルパワーを下げることを特徴とする請求項１に記載のディスク装置。
【請求項３】
ピークパワーをミドルパワーで除した値をパワー比として算出し、該パワー比が所定の値より大きいか否かを判定するパワー比判定手段をさらに備え、
前記調整手段は、前記ジッター判定手段により前記ジッターが前記閾値より大きいと判定され、かつ前記パワー比判定手段により前記パワー比が前記所定の値より大きいと判定されたとき、ミドルパワーを下げることを特徴とする請求項２に記載のディスク装置。
【発明の詳細な説明】
【技術分野】
【０００１】
本発明は、光ディスクに対してレーザ光を照射することによりデータを記録するディスク装置に関する。
【背景技術】
【０００２】
ＣＤ−ＲやＤＶＤなどの光ディスクにデータを記録するディスク装置においては、光ディスクにレーザ光を照射してピットを形成することによりデータを記録する。記録されたデータの再生は、ディスク装置がピットに照射したレーザ光の反射光を受光部が受光することによって行われる。ディスク装置は、受光部が受光した反射光から算出したジッターが大きいとデータを良好に再生できないため、最適な記録パワーでレーザ光を照射する必要がある。そこで、ディスク装置は、データの記録前にいわゆるＯＰＣ（Ｏｐｔｉｕｍ  Ｐｏｗｅｒ  Ｃｏｎｔｒｏｌ）によって最適な記録パワーを決定し、この決定した記録パワーでレーザ光を照射する。
【０００３】
しかし、光ディスクは、その形成過程の制限から、中心穴の位置が中心からわずかにずれた光ディスクやディスク盤面が反っている光ディスクが存在する。このため、ディスク装置が、ＯＰＣによって決定した記録パワーでレーザ光を照射しても、例えば、光ディスクの内周側においては、良好に再生されるデータを記録することができるが、外周側においては、良好に再生されるデータを記録できないことがあるという問題が生じていた。
【０００４】
そこで、光ディスク上の予め定められた複数の位置でＯＰＣを行うことによって、記録パワーを決定する手段が知られている（例えば、特許文献１参照）。また、データの記録中に、記録パワーの制御誤差信号や反射光の変調度に基づいて記録パワーを決定する手段が知られている（例えば、特許文献２参照）。さらに、ＯＰＣを複数回行うことによって求められた記録パワーの平均値に基づいて、最適な記録パワーを決定する手段が知られている（例えば、特許文献３参照）。
【０００５】
しかしながら、特許文献１に示される技術においては、光ディスク上の複数の位置でＯＰＣが実行されるため、記録パワーが決定されるまでに長い時間を要するという問題が生じていた。また、特許文献２に示される技術においては、データの記録中の反射光に基づいて記録パワーが決定されるが、ノンマルチパルス方式における記録パワーのミドルパワーを変化させるものではない。さらに、特許文献３に示される技術においては、ＯＰＣ動作によって記録パワーを決定するものであり、データの記録中に記録パワーを変化させるものではない。
【特許文献１】特開２００４−１９９７４９号公報
【特許文献２】特開２００３−２２８８４０号公報
【特許文献３】特開２００２−２８８８３１号公報
【発明の開示】
【発明が解決しようとする課題】
【０００６】
本発明は、上記の問題を解決するためになされたものであり、再記録可能な光ディスクに対してノンマルチパルス方式でレーザ光を照射することによりデータを記録するディスク装置において、光ディスク上の記録位置に適した記録パワーでデータを記録することができるディスク装置を提供することを目的とする。
【課題を解決するための手段】
【０００７】
上記目的を達成するために請求項１の発明は、再記録可能な光ディスクにデータを記録再生するためにレーザ光を照射する記録再生部と、記録再生部がデータを記録するときに照射するレーザ光の記録パワーを調整する調整手段と、を備え、データを記録する前に光ディスクのテスト領域に記録したテストデータを再生することによって、記録パワーを調整するＯＰＣ動作を行うディスク装置において、光ディスク上のデータ領域に記録されたデータが記録再生部によって再生されたとき、レーザ光が光ディスクによって反射させられた反射光からＲＦ信号を検出するＲＦ信号検出部と、ＲＦ信号からジッターを検出するジッター検出部と、ジッターが予め定められた閾値より大きいか否かを判定するジッター判定手段と、を備え、調整手段は、ジッターに基づいて記録パワーを設定し、記録再生部は、データ領域にデータを所定量記録すると、データの記録を中断してデータを再生し、ジッター判定手段によりジッターが閾値より大きいと判断されたとき、調整手段によって設定された記録パワーで、データの記録を中断した位置にデータを記録するようにしたものである。
【０００８】
また、請求項２の発明は、請求項１のディスク装置において、記録再生部は、記録パワーがピークパワーとミドルパワーからなるノンマルチパルスのレーザ光を照射することによりデータを記録し、調整手段は、ジッター判定手段によりジッターが閾値より大きいと判断されたとき、ミドルパワーを下げるようにしたものである。
【０００９】
また、請求項３の発明は、請求項２のディスク装置において、ピークパワーをミドルパワーで除した値をパワー比として算出し、パワー比が所定の値より大きい否かを判定するパワー比判定手段をさらに備え、調整手段は、ジッター判定手段によりジッターが閾値より大きいと判定され、かつパワー比判定手段によりパワー比が所定の値より大きいと判定されたとき、ミドルパワーを下げるようにしたものである。
【発明の効果】
【００１０】
請求項１の発明によれば、記録パワーは、データ領域に記録されたデータが再生されたときのジッターが閾値より大きいとき、調整手段によって決定される。記録再生部は、調整手段によって決定された記録パワーでデータを記録する。これにより、ディスク装置は、光ディスクの記録特性に関わらず、良好に再生されるデータを記録することができる。
【００１１】
請求項２の発明によれば、ノンマルチパルス方式におけるミドルパワーは、データ領域に記録されたデータが再生されたときのジッターが閾値より大きいとき、調整手段によって下げられる。記録再生部は、調整手段によって下げられたミドルパワーでデータを記録する。これにより、ディスク装置は、光ディスクの記録特性に関わらず、良好に再生されるデータを記録することができる。
【００１２】
請求項３の発明によれば、ノンマルチパルス方式におけるミドルパワーは、データ領域に記録されたデータが再生されたときのジッターが閾値より大きく、かつノンマルチパルス方式におけるピークパワーをミドルパワーで除したパワー比が所定の値より大きいとき、調整手段によって下げられる。記録再生部は、調整手段によって下げられたミドルパワーでデータを記録する。これにより、ディスク装置は、最適なパワー比を保った記録パワーを照射することにより、良好に再生されるデータを記録することができる。
【発明を実施するための最良の形態】
【００１３】
以下、本発明の実施形態に係るディスク装置について、図面を参照して説明する。図１は、本実施形態に係るディスク装置の概略構成を示す。ディスク装置１は、再記録可能な光ディスク２を回転させるスピンドルモータ３と、光ディスク２にレーザ光を照射する光ピックアップ４（記録再生部）と、光ディスク２によって反射した反射光からＲＦ信号を検出するＲＦ信号検出部５と、ＲＦ信号からジッターを検出するジッター検出部６と、スピンドルモータ３及び光ピックアップ４を含む装置全体を制御する制御部７とを備える。ここで、再記録可能な光ディスク２とは、例えば、ＣＤ±ＲＷやＤＶＤ±ＲＷである。また、ディスク装置１は、例えば、４倍速でデータを光ディスク２に記録する。
【００１４】
光ピックアップ４は、制御部７からの命令を受けて光ディスク２にレーザ光を照射する半導体レーザ４ａと、半導体レーザ４ａから照射されたレーザ光を透過させるビームスプリッタ４ｂと、ビームスプリッタ４ｂを透過したレーザ光を光ディスク２上に集光させる対物レンズ４ｃと、ビームスプリッタ４ｂによって方向を変えられた光ディスク２からの反射光を受光し、ＲＦ信号検出部５に信号を出力するフォトディテクタ４ｄとを備える。光ピックアップ４は、光ディスク２にデータを記録するとき、ノンマルチパルス方式でレーザ光を照射する。ここで、ノンマルチパルス方式とは、光ピックアップ４がデータを記録する際に照射するレーザ光の記録パワーが、ピークパワーとミドルパワーによって構成されている方式のことをいう。
【００１５】
制御部７は、ジッター検出部６が検出したジッターが予め定められた閾値より大きいか否かを判定するジッター判定手段８と、ノンマルチパルス方式におけるピークパワーをミドルパワーで除した値をパワー比として算出し、パワー比が所定の値より大きいか否かを判定するパワー比判定手段９と、ジッター判定手段８とパワー比判定手段９が判定した結果に基づいて光ピックアップ４がデータを光ディスク２に記録する際に照射するレーザ光の記録パワーを決定する調整手段１０を備える。ここで、パワー比はεで表され、所定の値とは、例えば、１．５である。
【００１６】
ディスク装置１がデータを光ディスク２に記録するとき、制御部７は、ＯＰＣによって記録パワーを決定する。ＯＰＣとは、光ディスク２上に用意されたテスト領域に記録パワーを変化させながらテストデータを書き込み、この書き込まれたテストデータを再生することによって、データを記録するのに最適な記録パワーを決定する方法である。光ピックアップ４は、データ領域にＯＰＣによって決定された記録パワーでレーザ光を光ディスク２に照射してピットを形成することによりデータを記録する。ここで、データ領域とは、光ディスク２上であって、テストデータではなく実際のデータが記録される領域のことをいう。
【００１７】
光ディスク２に記録されたデータの再生は、ＲＦ信号検出部５がフォトディテクタ４ｄから受信した信号からＲＦ信号を検出することにより行われる。光ディスク２に形成されたピットが良好な形状でないとき、ピットに照射されたレーザ光の反射光が乱れるため、データ再生時の時間的な揺らぎを示すジッターが大きくなる。ジッターが大きいことは、ディスク装置１がデータをスムーズに再生できていないことを示す。そこで、光ピックアップ４は、データの再生エラーが発生することなくスムーズに再生されるピットを形成するため、光ディスク２の記録特性に応じた最適な記録パワーでレーザ光を照射する。本実施形態に係るディスク装置１は、４倍速でデータを光ディスク２に記録するため、光ピックアップ４は、ノンマルチパルス方式でレーザ光を照射する。
【００１８】
ここで、ノンマルチパルス方式について説明する。図２は、本実施形態に係るノンマルチパルス方式における記録パワーの状態を示す。図２において、光ディスク２にピットを形成するために照射されたレーザ光の記録パワーＰは、パワーの高いピークパワーと、パワーの低いミドルパワーとに変化する。光ピックアップ４は、例えば、はじめにピークパワーでレーザ光を照射し、その後、ミドルパワーでレーザ光をした後、再びピークパワーでレーザ光を照射することによって光ディスク２上にピットを形成する。
【００１９】
しかし、良好な形状のピットを形成する最適な記録パワーＰは、光ディスク２の周方向におけるデータの記録位置や光ディスク２の種類によって変化する。このため、光ピックアップ４が、ＯＰＣによって決定された記録パワーＰでレーザ光を照射しても、良好な形状のピットを形成できないことがある。特に、光ディスク２の最外周においては、光ディスク２の製法上の理由からＯＰＣによって決定された記録パワーＰでは良好な形状のピットを形成できない場合がある。そこで、制御部７は、調整手段１０にジッター判定手段８とパワー比判定手段９が判定した結果に基づいて記録パワーＰを決定させる。光ピックアップ４は、調整手段１０によって決定された記録パワーＰでデータを記録することにより、光ディスク２の周方向におけるデータの記録位置や光ディスク２の種類に関わらず、スムーズに再生されるデータを記録することができる。
【００２０】
次に、光ピックアップ４が、調整手段１０によって決定された記録パワーＰでデータをデータ領域に記録する状態について説明する。図３は、本実施形態に係るデータ領域におけるデータの記録状態を示す。図３（ａ）は、光ピックアップ４がデータの記録を中断した状態を示し、図３（ｂ）は、光ピックアップ４がデータを再生している状態を示し、図３（ｃ）は、光ピックアップがデータを記録している状態を示す。図３（ａ）において、制御部７は、光ピックアップ４にデータ１２を所定量記録させると、データ１２の記録を中断させる。光ピックアップ４がデータ１２の記録を中断した位置を中断位置ＩＰとする。制御部７が光ピックアップ４にデータ１２の記録を中断させるのは、例えば、データ１２を一時的に保持するバッファにデータ１２が所定量蓄積されるのを待つためである。
【００２１】
図３（ｂ）において、制御部７は、光ピックアップ４にデータ１２の記録を中断させると、光ピックアップ４の位置を戻して記録したデータ１２を再生させる。光ピックアップ４がデータ１２を再生すると、ジッター検出部６はジッターを検出する。ジッターがジッター判定手段８によって閾値より大きいと判定されると、制御部７は、スムーズにデータ１２が再生されていないと判断する。調整手段１０は、ジッター判定手段８によってジッターが閾値より大きいと判定され、パワー比判定手段９によってパワー比εが１．５より大きいと判定されると、例えば、現在の記録パワーＰのミドルパワーを０．２ｍＷ下げた記録パワーＰを新たな記録パワーＰとして決定する。
【００２２】
図３（ｃ）において、制御部７は、光ピックアップ４に調整手段１０が決定した記録パワーＰでデータ１２を中断位置ＩＰに記録させる。このように、光ピックアップ４が、実際にデータが記録される中断位置ＩＰ近傍に記録されたデータを再生し、調整手段１０が、
再生されたデータ１２のジッターとパワー比εとに基づいて記録パワーＰを決定することにより、ディスク装置１は、光ディスク２の周方向におけるデータ１２の記録位置に関わらずスムーズに再生されるデータ１２を記録することが可能となる。
【００２３】
次に、ディスク装置１が４倍速で光ディスク２にデータ１２を記録する記録処理について説明する。図４は、ディスク装置１におけるデータ１２の記録処理の動作フローを示す。制御部７は、データ１２をデータ領域に記録するとき、光ディスク２に適した記録パワーＰを取得するためＯＰＣ処理を実行する（Ｓ１０１）。制御部７は、光ピックアップ４にＯＰＣ処理によって取得した記録パワーＰでデータ１２の記録を開始させる（Ｓ１０２）。制御部７は、光ピックアップ４にデータ１２を所定量記録させると、データ１２の記録を中断させて、記録したデータ１２を再生させる（Ｓ１０３）。ここで、光ピックアップ４がデータ１２の記録を中断した位置を中断位置ＩＰとする。ＲＦ信号検出部５は、再生されたデータ１２についてのＲＦ信号を検出する（Ｓ１０４）。
【００２４】
ジッター検出部６は、検出されたＲＦ信号からジッターを検出してジッター判定手段８に出力する（Ｓ１０５）。ジッター判定手段８は、ジッターが閾値より大きいか否かを判定する（Ｓ１０６）。光ピックアップ４が強すぎる記録パワーＰで光ディスク２にピットを形成したとき、ジッターは閾値より大きくなる。そこで、ジッター判定手段８が、ジッターが閾値より大きくないと判定すると（Ｓ１０６でＮｏ）、制御部７は、最適な記録パワーＰでピットが形成されていると判断し、調整手段１０にミドルパワーを下げさせることなく、ステップＳ１０９の処理を実行する。一方、ステップＳ１０６において、ジッター判定手段８が、ジッターが閾値より大きいと判定すると（Ｓ１０６でＹｅｓ）、制御部７は、スムーズにデータ１２が再生されていないと判断し、ステップＳ１０７の処理を実行する。
【００２５】
ステップＳ１０７において、パワー比判定手段９は、パワー比εが所定の値である１．５より大きいか否かを判定する（Ｓ１０７）。パワー比εが１．５より大きくないとき、調整手段１０がミドルパワーを下げると、光ピックアップ４は、パワー不足となり光ディスク２に良好なピットを形成できなくなる。そこで、パワー比判定手段９が、パワー比εが１．５より大きくないと判定すると（Ｓ１０７でＮｏ）、制御部７は、調整手段１０にミドルパワーを下げさせることなく、ステップＳ１０９の処理を実行する。一方、ステップＳ１０７において、パワー比判定手段９が、パワー比εが１．５より大きいと判定すると（Ｓ１０７でＹｅｓ）、制御部７は、ステップＳ１０８の処理を実行する。
【００２６】
ステップＳ１０８において、調整手段１０は、ミドルパワーを０．２ｍＷ下げた記録パワーＰを新たな記録パワーＰとして決定する（Ｓ１０８）。光ピックアップ４は、調整手段１０が決定した記録パワーＰでデータ１２を中断位置ＩＰに記録することによって記録を再開する（Ｓ１０９）。制御部７は、光ピックアップ４がデータ１２を全て記録し終えるまで（Ｓ１１０でＮｏ）、ステップＳ１０３からステップＳ１１０までの処理を繰り返す。一方、ステップＳ１１０において、光ピックアップ４がデータ１２を全て記録し終えると（Ｓ１１０でＹｅｓ）、ディスク装置１は、データ１２の記録処理を終了する。
【００２７】
このように、本実施形態においては、制御部７は、ジッター判定手段８によってジッターが閾値より大きいと判定され、かつパワー比判定手段９によってパワー比εが１．５より大きいと判定されると、調整手段１０にミドルパワーを０．２ｍＷ下げさせる。これにより、ディスク装置１は、光ピックアップ４に調整手段１０が決定した記録パワーＰでデータ１２を記録させることによって、光ディスク２の種類やデータ１２が記録される位置における記録特性に関わらず、スムーズに再生されるデータ１２を記録することができる。
【００２８】
なお、本発明は、上記実施形態の構成に限られず、種々の変形が可能であり、例えば、
ディスク装置１は、制御部７がジッター判定手段８を備える構成ではなく、制御部７とは別にジッター判定手段８を備える構成であっても構わない。また、ディスク装置１は、４倍速でデータ１２を光ディスク２に記録する構成でなく、８倍速や１６倍速でデータ１２を光ディスク２に記録する構成であっても構わない。
【図面の簡単な説明】
【００２９】
【図１】本発明の実施形態に係るディスク装置の概略を示す構成図。
【図２】本実施形態に係るノンマルチパルス方式における記録パワーの状態を示す図。
【図３】（ａ）〜（ｃ）は本実施形態に係るデータ領域におけるデータの記録状態を示す図。
【図４】本実施形態に係るデータ記録処理フローチャート。
【符号の説明】
【００３０】
１  ディスク装置
２  光ディスク
４  光ピックアップ（記録再生部）
５  ＲＦ信号検出部
６  ジッター検出部
７  制御部
８  ジッター判定手段
９  パワー比判定手段
１０  調整手段
【図１】
2008299896.tif 000003
【図２】
2008299896.tif 000004
【図３】
2008299896.tif 000005
【図４】
2008299896.tif 000006